(57)【要約】【課題】  各種染色条件が変動したときでも、着色物の色相や色濃度の振れが比較的小さく、黄色反応染料や青色反応染料との相容性が良好であり、着色物の堅牢度が良好な赤色系反応染料の提供。【解決手段】  遊離酸の形で表すと、赤色染料ａ）と黄色染料ｂ）等を含む反応染料組成物。ａ）化合物群（Ｉ）と化合物群（ＩＩ）を含む赤色染料ｂ）特定の黄色反応染料2006219579.tif 000060      （Ｉ）［式中、Ａ１は置換されたフェニル基又はナフチル基、Ｂ１は置換されたフェニレン基又はナフチレン基、Ｘ１は塩素原子又はフッ素原子等。］2006219579.tif 000061      （ＩＩ）［式中、Ｙ１は基（ＩＩａ）等。］2006219579.tif 000062    （ＩＩａ）｛式中、Ｘ２、Ｘ３は塩素原子、フッ素原子等。｝【選択図】  なし【特許請求の範囲】
【請求項１】
遊離酸の形で式示した場合、下記ａ）で示される赤色染料と、下記ｂ）で示される黄色染料及び／又は下記ｃ）で示される青色染料を含む反応染料組成物。
ａ）下式（Ｉ）で示される化合物の１種以上と、下式（ＩＩ）及び（ＩＩＩ）で示される化合物群から選ばれる１種以上の化合物とを含有する赤色反応染料
ｂ）下式（ＩＶ）で示される黄色反応染料
ｃ）下式（Ｖ）〜（ＶＩＩ）で示される化合物群から選ばれる１種以上の青色反応染料
2006219579.tif 000045
（Ｉ）
［式（Ｉ）中、Ａ１はフェニル基又はナフチル基であり、該フェニル基における１個の水素原子はスルホン酸基で置換されている。また、該ナフチル基における２又は３個の水素原子は２又は３個のスルホン酸基で置換されている。Ｂ１はフェニレン基又はナフチレン基であり、該フェニレン基における１個の水素原子は１個のメチル基で置換されていてもよい。また、該ナフチレン基における１個の水素原子は１個のスルホン酸基で置換されていてもよい。Ｘ１は、塩素原子、フッ素原子又は下式（Ｉａ）で示される基である。
2006219579.tif 000046
（Ｉａ）
｛式（Ｉａ）中、Ｒ１は、水素原子又は炭素数１〜４のアルキル基である。Ｚ１は−ＣＨ＝ＣＨ２又は−ＣＨ２ＣＨ２Ｌ１である。Ｌ１はアルカリの作用で脱離する基である。｝］
2006219579.tif 000047
（ＩＩ）
［式（ＩＩ）中、Ｙ１は下式（ＩＩa）又は（ＩＩｂ）で示される基である。
2006219579.tif 000048
（ＩＩａ）
｛式（ＩＩａ）中、Ｘ２及びＸ３は、それぞれ独立に、塩素原子、フッ素原子、Ｎ−エチルアニリノ基又は下式（ＩＩｃ）で示される基である。但し、Ｘ２及びＸ３が同時にＮ−エチルアニリノ基であることはない。｝
2006219579.tif 000049
（ＩＩｂ）
｛式（ＩＩｂ）中、Ｘ４は水素原子又は塩素原子である。｝
2006219579.tif 000050
（ＩＩｃ）
｛式（ＩＩｃ）中、Ｒ２は水素原子又は炭素数１〜４のアルキル基である。Ｚ２は−ＣＨ＝ＣＨ２又は−ＣＨ２ＣＨ２Ｌ２を表す。Ｌ２はアルカリの作用で脱離する基である。｝]
2006219579.tif 000051
（ＩＩＩ）
[式（ＩＩＩ）中、Ａ２はフェニル基、ナフチル基又は下式（ＩＩＩａ）で示される基である。そして、該フェニル基における１個の水素原子は１個のスルホン酸基で置換されている。また、該ナフチル基における１個又は２個の水素原子は１個又は２個のスルホン酸基で置換されている。Ｙ２はベンゾイル基、アセチル基、プロピオニル基又は下式（ＩＩＩｂ）で示される基である。但し、Ｙ２がベンゾイル基、アセチル基又はプロピオニル基である場合は、Ａ２は式（ＩＩＩａ）で示される基である。
2006219579.tif 000052
（ＩＩＩａ）
｛式（ＩＩＩａ）中、Ｘ５は塩素原子又はフッ素原子である。Ｚ３は−ＣＨ＝ＣＨ２又は−ＣＨ２ＣＨ２Ｌ３を表す。Ｌ３はアルカリの作用で脱離する基である。｝
2006219579.tif 000053
（ＩＩＩｂ）
｛式（ＩＩＩｂ）中、Ｘ６は塩素原子、フッ素原子又はモルホリノ基である。Ｘ７は下式（ＩＩＩｃ）で示される基である。｝
2006219579.tif 000054
（ＩＩＩｃ）
｛式（ＩＩＩｃ）中、Ｒ３は水素原子又は炭素数１〜４のアルキル基である。Ｚ４は−ＣＨ＝ＣＨ２又は−ＣＨ２ＣＨ２Ｌ４である。Ｌ４はアルカリの作用で脱離する基である。｝
2006219579.tif 000055
（ＩＶ）
［式（ＩＶ）中、Ａ３はナフチル基であり、該ナフチル基中の水素原子の２又は３個は２又は３個のスルホン酸基で置換されている。Ｒ４は炭素数１〜４のアルキル基、炭素数１〜４のアルコキシ基、アセチルアミノ基又はウレイド基である。Ｒ５は水素原子又は炭素数１〜４のアルキル基である。Ｚ５は−ＣＨ＝ＣＨ２又は−ＣＨ２ＣＨ２Ｌ５である。Ｌ５はアルカリの作用で脱離する基である。Ｘ８は塩素原子、フッ素原子又は下式（ＩＶａ）で示される基である。
2006219579.tif 000056
（ＩＶａ）
｛式（ＩＶａ）中、Ｒ６は水素原子又は炭素数１〜４のアルキル基である。Ｚ６は−ＣＨ＝ＣＨ２又は−ＣＨ２ＣＨ２Ｌ６を表す。Ｌ６はアルカリの作用で脱離する基である。｝]
2006219579.tif 000057
（Ｖ）
｛式（Ｖ）中、Ｘ９は塩素原子又はフッ素原子である。Ｒ７は水素原子又は炭素数１〜４のアルキル基である。Ｚ７は−ＣＨ＝ＣＨ２又は−ＣＨ２ＣＨ２Ｌ７を表す。Ｌ７はアルカリの作用で脱離する基である。｝
2006219579.tif 000058
（ＶＩ）
｛式（ＶＩ）中、Ａ４はナフチル基であり、該ナフチル基における水素原子の１又は２個は１又は２個のスルホン酸基で置換されている。Ｘ１０は塩素原子又はフッ素原子である。Ｒ９は水素原子又は炭素数１〜４のアルキル基である。Ｚ８は−ＣＨ＝ＣＨ２基又は−ＣＨ２ＣＨ２Ｌ８基である。Ｌ８はアルカリの作用で脱離する基である。｝
2006219579.tif 000059
（ＶＩＩ）
｛式（ＶＩＩ）中、Ｐ１及びＰ２は、それぞれ独立に水素原子、塩素原子、臭素原子、炭素数１〜４のアルキル基、炭素数１〜４のアルコキシ基又はカルボキシル基を表す。Ｒ１０は水素原子又は炭素数１〜４のアルキル基である。Ｚ９は−ＣＨ＝ＣＨ２又は−ＣＨ２ＣＨ２Ｌ９である。Ｌ９はアルカリの作用で脱離する基である。Ｘ１１は塩素原子、フッ素原子、炭素数１〜４のアルキルアミノ基又はフェニルアミノ基である。該アルキルアミノ基におけるアルキルの１又は２個の水素原子は、塩素原子、スルホン酸基及びカルボキシル基からなる群より選ばれる１又は２個の置換基で置換されていてもよい。また、該フェニルアミノ基におけるフェニルの１又は２個の水素原子は、塩素原子、スルホン酸基、炭素数１〜４のアルキル基及び炭素数１〜４のアルコキシ基からなる群より選ばれる１又は２個の置換基で置換されていてもよい。｝
【請求項２】
式（Ｉ）におけるＡ１がフェニル基であり、該フェニル基は−Ｎ＝Ｎ−と結合する炭素原子を１位としたとき、２位の炭素原子にスルホン酸基が結合し、且つ、Ｘ１が塩素原子又は式（Ｉａ）で示される基である請求項１に記載の反応染料組成物。
【請求項３】
式（Ｉ）におけるＡ１がナフチル基であり、該ナフチル基は−Ｎ＝Ｎ−と結合する炭素原子を２位としたとき、４位、６位及び８位における炭素原子のうちの２又は３個がスルホン酸基と結合し、且つ、Ｘ１が塩素原子又はフッ素原子である請求項１に記載の反応染料組成物。
【請求項４】
式（ＩＩ）におけるＹ１が式（ＩＩａ）で示される基であり、該式（ＩＩａ）におけるＸ２及びＸ３のうち、一方が塩素原子又はフッ素原子であり、他方がＮ−エチルアニリノ基又は式（ＩＩｃ）で示される基である請求項１〜３のいずれかに記載の反応染料組成物。
【請求項５】
式（ＩＩ）におけるＹ１が式（ＩＩａ）で示される基であり、該式（ＩＩａ）におけるＸ２及びＸ３が同時に式（ＩＩｃ）で示される基である請求項１〜３のいずれかに記載の反応染料組成物。
【請求項６】
式（ＩＩＩ）で示される化合物を含み、該式（ＩＩＩ）におけるＡ２がフェニル基又はナフチル基であり、該フェニル基における−Ｎ＝Ｎ−基と結合した炭素原子を１位としたときに２位の炭素原子にスルホン酸基が結合したフェニル基であるか、又は、該ナフチル基における−Ｎ＝Ｎ−基と結合した炭素原子を２位としたときに、１位及び５位の炭素原子にそれぞれスルホン酸基が結合したナフチル基であり、Ｙ２が式（ＩＩＩｂ）で示される基であり、且つ、該式（ＩＩＩｂ）におけるＸ６が塩素原子又はフッ素原子である請求項１〜５のいずれかに記載の反応染料組成物。
【請求項７】
式（ＩＩＩ）で示される化合物を含み、該式（ＩＩＩ）におけるＡ２がナフチル基であり、該ナフチル基における−Ｎ＝Ｎ−基と結合した炭素原子を２位としたときに１位の炭素原子にスルホン酸基が結合し、Ｙ２が式（ＩＩＩｂ）で示される基であり、該式（ＩＩＩｂ）におけるＸ６が塩素原子、フッ素原子又はモルホリノ基である請求項１〜５のいずれかに記載の反応染料組成物。
【請求項８】
式（ＩＶ）で示される化合物を含み、該式（ＩＶ）におけるＡ３がナフチル基であり、該ナフチル基における−Ｎ＝Ｎ−基と結合した炭素原子を２位としたときに３位、６位及び８位の炭素原子のそれぞれにスルホン酸基が結合し、Ｘ８が塩素原子又は式（ＩＶａ）で示される基である請求項１〜７のいずれかに記載の反応染料組成物。
【請求項９】
さらに、青色染料ｃ）を含み、該青色染料ｃ）が、式（Ｖ）及び（ＶＩ）で示される化合物群から選ばれる１種以上の青色反応染料と式（ＶＩＩ）で示される化合物群から選ばれる１種以上の青色反応染料との混合物である請求項１〜８のいずれかに記載の反応染料組成物。
【請求項１０】
赤色染料ａ）が、遊離酸の形で表すと、式（Ｉ）で示される化合物の１種以上と、式（ＩＩ）で示される化合物の１種以上と、式（ＩＩＩ）で示される化合物の１種以上とを含む混合物である請求項１〜９のいずれかに記載の反応染料組成物。
【請求項１１】
赤色染料ａ）における式（Ｉ）で示される化合物の割合が、赤色染料混合物の総重量に対して２０〜９０重量％である請求項１〜１０のいずれかに記載の反応染料組成物。
【請求項１２】
請求項１〜１１のいずれかに記載の反応染料組成物を用いることを特徴とする繊維材料の着色方法。
【発明の詳細な説明】
【技術分野】
【０００１】
本発明は、セルロース繊維材料等を着色するための反応染料組成物に関する。
【背景技術】
【０００２】
反応染料はセルロース繊維材料等の着色に用いられている。この着色には、赤、青及び黄色の三原色反応染料のうち２つ以上を混合して反応染料組成物となし、これを用いることが行われている（例えば、下記特許文献１を参照）。
【０００３】
【特許文献１】特開平９−２２７７９０号公報
【発明の開示】
【発明が解決しようとする課題】
【０００４】
下記反応染料化合物（Ｉ）は高いカラーバリューを有するが、色相が黄暗味であるために赤色染料として使用しにくく、着色物の色相範囲が狭いという問題があった。一方、下記の反応染料化合物（ＩＩ）や（ＩＩＩ）は赤色染料として好ましい色相を有しているが、着色物の汗日光堅牢度が満足できるレベルではなかった。
また、赤色反応染料（Ｉ）を三原色用の反応染料として、黄色反応染料及び／又は青色反応染料と配合して染色すると、上記の黄色反応染料及び／又は青色反応染料との相容性が不良であることが多く、三原色用の反応染料として必ずしも適当なものではなかった。さらに、三原色用の吸尽染色法等においては、例え相容性が良好であっても、赤色反応染料と黄色反応染料及び／又は青色反応染料の堅牢度レベルが揃っておらず、得られた着色物が変色してしまうという問題があった。このため、カラーバリュー、相容性、及び着色物の汗日光堅牢度のバランスが良好である三原色用の赤色反応染料が望まれている。
本発明の目的は、黄色反応染料や青色反応染料との相容性が良好であり、しかも着色物の堅牢度及びそのバランスが良好な赤色反応染料を提供することにある。
【課題を解決するための手段】
【０００５】
すなわち、本発明は、遊離酸の形で表すと、下記ａ）で示される赤色染料と、下記ｂ）で示される黄色染料及び／又は下記ｃ）で示される青色染料を含む反応染料組成物を提供するものである。
【０００６】
ａ）下式（Ｉ）で示される化合物の１種以上と、下式（ＩＩ）及び（ＩＩＩ）で示される化合物群から選ばれる１種以上の化合物とを含有してなる赤色反応染料
ｂ）下式（ＩＶ）で示される黄色反応染料
ｃ）下式（Ｖ）〜（ＶＩＩ）で示される化合物群から選ばれる１種以上の青色反応染料
【０００７】
2006219579.tif 000002
（Ｉ）
［式（Ｉ）中、Ａ１はフェニル基又はナフチル基であり、該フェニル基における１個の水素原子は１個のスルホン酸基で置換されている。また、該ナフチル基における２又は３個の水素原子は２又は３個のスルホン酸基で置換されている。Ｂ１はフェニレン基又はナフチレン基であり、該フェニレン基における１個の水素原子は１個のメチル基で置換されていてもよく、該ナフチレン基における１個の水素原子は１個のスルホン酸基で置換されていてもよい。Ｘ１は、塩素原子、フッ素原子又は下式（Ｉａ）で示される基である。
【０００８】
2006219579.tif 000003
（Ｉａ）
｛式（Ｉａ）中、Ｒ１は水素原子又は炭素数１〜４のアルキル基である。Ｚ１は−ＣＨ＝ＣＨ２又は−ＣＨ２ＣＨ２Ｌ１である。Ｌ１はアルカリの作用で脱離する基である。｝］
【０００９】
2006219579.tif 000004
（ＩＩ）
［式（ＩＩ）中、Ｙ１は下式（ＩＩａ）又は（ＩＩｂ）で示される基である。
【００１０】
2006219579.tif 000005
（ＩＩａ）
【００１１】
｛式（ＩＩａ）中、Ｘ２及びＸ３は、それぞれ独立に、塩素原子、フッ素原子、Ｎ−エチルアニリノ基又は下式（ＩＩｃ）で示される基である。但し、Ｘ２及びＸ３が同時にＮ−エチルアニリノ基であることはない。｝
【００１２】
2006219579.tif 000006
（ＩＩｂ）
｛式（ＩＩｂ）中、Ｘ４は水素原子又は塩素原子である。｝
【００１３】
2006219579.tif 000007
（ＩＩｃ）
｛式（ＩＩｃ）中、Ｒ２は水素原子又は炭素数１〜４のアルキル基である。Ｚ２は−ＣＨ＝ＣＨ２又は−ＣＨ２ＣＨ２Ｌ２である。Ｌ２はアルカリの作用で脱離する基である。｝］
【００１４】
2006219579.tif 000008
（ＩＩＩ）
[式（ＩＩＩ）中、Ａ２はフェニル基、ナフチル基又は下式（ＩＩＩａ）で示される基である。そして、該フェニル基における１個の水素原子は１個のスルホン酸基で置換されている。また、該ナフチル基における１個又は２個の水素原子は１個又は２個のスルホン酸基で置換されている。Ｙ２はベンゾイル基、アセチル基、プロピオニル基又は下式（ＩＩＩｂ）で示される基である。但し、Ｙ２がベンゾイル基、アセチル基又はプロピオニル基である場合は、Ａ２は式（ＩＩＩａ）で示される基である。
【００１５】
2006219579.tif 000009
（ＩＩＩａ）
｛式（ＩＩＩａ）中、Ｘ５は塩素原子又はフッ素原子である。Ｚ３は−ＣＨ＝ＣＨ２又は−ＣＨ２ＣＨ２Ｌ３を表す。Ｌ３はアルカリの作用で脱離する基である。｝
【００１６】
2006219579.tif 000010
（ＩＩＩｂ）
｛式（ＩＩＩｂ）中、Ｘ６は塩素原子、フッ素原子又はモルホリノ基である。Ｘ７は下式（ＩＩＩｃ）で示される基である。｝
【００１７】
2006219579.tif 000011
（ＩＩＩｃ）
｛式（ＩＩＩｃ）中、Ｒ３は水素原子又は炭素数１〜４のアルキル基である。Ｚ４は−ＣＨ＝ＣＨ２又は−ＣＨ２ＣＨ２Ｌ４である。Ｌ４はアルカリの作用で脱離する基である。｝
【００１８】
2006219579.tif 000012
（ＩＶ）
〔式（ＩＶ）中、Ａ３はナフチル基であり、該ナフチル基中の水素原子の２又は３個は２個又は３個のスルホン酸基で置換されている。Ｒ４は炭素数１〜４のアルキル基、炭素数１〜４のアルコキシ基、アセチルアミノ基又はウレイド基である。Ｒ５は水素原子又は炭素数１〜４のアルキル基である。Ｚ５は−ＣＨ＝ＣＨ２又は−ＣＨ２ＣＨ２Ｌ５である。Ｌ５はアルカリの作用で脱離する基である。Ｘ８は塩素原子、フッ素原子又は下式（ＩＶａ）で示される基である。
【００１９】
2006219579.tif 000013
（ＩＶａ）
｛式（ＩＶａ）中、Ｒ６は水素原子又は炭素数１〜４のアルキル基である。Ｚ６は−ＣＨ＝ＣＨ２又は−ＣＨ２ＣＨ２Ｌ６である。Ｌ６はアルカリの作用で脱離する基である。｝
【００２０】
2006219579.tif 000014
（Ｖ）
｛式（Ｖ）中、Ｘ９は塩素原子又はフッ素原子である。Ｒ７は水素原子又は炭素数１〜４のアルキル基である。Ｚ７は−ＣＨ＝ＣＨ２又は−ＣＨ２ＣＨ２Ｌ７である。Ｌ７はアルカリの作用で脱離する基である。｝
【００２１】
2006219579.tif 000015
（ＶＩ）
｛式（ＶＩ）中、Ａ４はナフチル基であり、該ナフチル基における１又は２個の水素原子は１又は２個のスルホン酸基で置換されている。Ｘ１０は塩素原子又はフッ素原子である。Ｒ９は水素原子又は炭素数１〜４のアルキル基である。Ｚ８は−ＣＨ＝ＣＨ２又は−ＣＨ２ＣＨ２Ｌ８である。Ｌ８はアルカリの作用で脱離する基である。｝
【００２２】
2006219579.tif 000016
（ＶＩＩ）
〔式（ＶＩＩ）中、Ｐ１及びＰ２は、それぞれ独立に水素原子、塩素原子、臭素原子、炭素数１〜４のアルキル基、炭素数１〜４のアルコキシ基又はカルボキシル基を表す。Ｒ１０は水素原子又は炭素数１〜４のアルキル基である。Ｚ９は−ＣＨ＝ＣＨ２又は−ＣＨ２ＣＨ２Ｌ９である。Ｌ９はアルカリの作用で脱離する基である。Ｘ１１は塩素原子、フッ素原子、炭素数１〜４のアルキルアミノ基又はフェニルアミノ基である。該アルキルアミノ基におけるアルキルの１又は２個の水素原子は、塩素原子、スルホン酸基及びカルボキシル基からなる群より選ばれる１又は２個の置換基で置換されていてもよい。また、該フェニルアミノ基におけるフェニルの１又は２個の水素原子は、塩素原子、スルホン酸基、炭素数１〜４のアルキル基及び炭素数１〜４のアルコキシ基からなる群より選ばれる１又は２個の置換基で置換されていてもよい。〕
また、本発明は、上記反応染料組成物を用いてセルロース繊維材料を着色する方法を提供するものである。
【発明の効果】
【００２３】
本発明の反応染料組成物は、染色温度、塩濃度、浴比、スチーム時間や染色濃度等の染色条件が変動した場合であっても、使用する染料の相容性が良好であり、染色再現性に優れる。
また、本発明のセルロース繊維材料の着色方法によれば、特に汗日光堅牢度が優れた着色物が得られる。
【発明を実施するための最良の形態】
【００２４】
以下、本発明を詳細に説明する。
式（Ｉ）におけるＸ１は塩素原子、フッ素原子又は上式（Ｉａ）で示される基を表す。式（Ｉａ）におけるＲ１は、水素原子又は炭素数１〜４のアルキル基を表す。かかるアルキル基としては、メチル基又はエチル基が好ましい。式（Ｉａ）におけるＺ１は−ＣＨ＝ＣＨ２又は−ＣＨ２ＣＨ２Ｌ１を表す。該Ｌ１はアルカリの作用で脱離する基を表す。
上記のＬ１としては、例えば、−Ｏ−ＳＯ３Ｈ基、−Ｓ−ＳＯ３Ｈ基、リン酸残基、酢酸残基、ハロゲン原子又はピリジニウム化合物の残基等を挙げることができる。該ピリジニウム化合物の残基における１〜２個の水素原子は、カルボキシル基及びウレイド基からなる群より選ばれる１〜２個の置換基で置換されていてもよい。
【００２５】
式（Ｉ）におけるフェニル基又はナフチル基Ａ１としては、該フェニル基中の１個の水素原子がスルホン酸基で置換されたフェニル基や、該ナフチル基中の２又は３個の水素原子が２又は３個のスルホン酸基で置換されたナフチル基が挙げられる。
式（Ｉ）におけるフェニレン基又はナフチレン基Ｂ１は、上記フェニレン基中の１個の水素原子がメチル基で置換されていてもよい。また、上記ナフチレン基中の１個の水素原子が１個のスルホン酸基で置換されていてもよい。Ｘ１は、塩素原子、フッ素原子又は上式（Ｉａ）で示される基を表す。
式（Ｉ）で示される化合物としては、Ａ１がフェニル基であり、該フェニル基中の炭素原子が−Ｎ＝Ｎ−基と結合した位置を１位としたときに、上記の−Ｎ＝Ｎ−基と結合した炭素原子の隣の炭素原子（２位）にスルホン酸基が結合した赤色反応染料化合物が好ましい。同様に、Ａ１がナフチル基であり、該ナフチル基中の炭素原子が−Ｎ＝Ｎ−基と結合した位置を２位としたときに、上記ナフチル基における４位、６位及び８位の炭素原子にそれぞれスルホン酸基が結合したトリスルホナフチル基である赤色反応染料化合物が好ましい。また、Ａ１がナフチル基であり、該ナフチル基中の炭素原子が−Ｎ＝Ｎ−基と結合した位置を２位としたときに、上記ナフチル基における４位及び８位の炭素原子にそれぞれスルホン酸基が結合した赤色反応染料化合物も好ましい。
式（Ｉ）で示される化合物としては、例えば下式（ＶＩＩＩ）〜（ＸＩ）で示される化合物が挙げられる。
【００２６】
2006219579.tif 000017
（ＶＩＩＩ）
【００２７】
2006219579.tif 000018
（ＩＸ）
【００２８】
2006219579.tif 000019
（Ｘ）
【００２９】
2006219579.tif 000020
（ＸＩ）
【００３０】
式（ＩＩ）におけるＹ１は上式（ＩＩａ）又は上式（ＩＩｂ）で示される基を表す。該式（ＩＩａ）中のＸ２及びＸ３は、それぞれ独立に塩素原子、フッ素原子、Ｎ−エチルアニリノ基又は式（ＩＩｃ）で示される基を表すが、Ｘ２及びＸ３が同時にＮ−エチルアニリノ基であることはない。
式（ＩＩａ）で示される基としては、Ｘ２及びＸ３の一方が塩素原子又はフッ素原子であり、他方がＮ−エチルアニリノ基又は式（ＩＩｃ）で示される基であるとき、及び、Ｘ２及びＸ３が同時に式（ＩＩｃ）で示される基であるときが好ましい。式（ＩＩｂ）中におけるＸ４は水素原子又は塩素原子を表すが、塩素原子であることが好ましい。
【００３１】
式（ＩＩｃ）におけるＲ２は水素原子又は炭素数１〜４のアルキル基を表す。かかるアルキル基としては、メチル基又はエチル基が好ましい。Ｚ２は−ＣＨ＝ＣＨ２又は−ＣＨ２ＣＨ２Ｌ２を表し、Ｌ２はアルカリの作用で脱離する基を表す。Ｌ２としては、例えばＬ１で例示した基を挙げることができる。
【００３２】
式（ＩＩ）で示される赤色反応染料化合物としては、例えば下記の式（ＸＩＩ）〜（ＸＶ）で示される化合物が挙げられる。
【００３３】
2006219579.tif 000021
（ＸＩＩ）
【００３４】
2006219579.tif 000022
（ＸＩＩＩ）
【００３５】
2006219579.tif 000023
（ＸＩＶ）
【００３６】
2006219579.tif 000024
（ＸＶ）
【００３７】
式（ＩＩＩ）におけるＡ２は、フェニル基、ナフチル基又は上式（ＩＩＩａ）で示される基を表す。該フェニル基における１個の水素原子は、１個のスルホン酸基で置換されている。また、該ナフチル基における１又は２個の水素原子は、１又は２個のスルホン酸基で置換されている。
式（ＩＩＩ）におけるＹ２は、ベンゾイル基、アセチル基、プロピオニル基又は式（ＩＩＩｂ）で示される基を表す。Ｙ２がベンゾイル基、アセチル基又はプロピオニル基である場合にＡ２は式（ＩＩＩａ）で示される基である。
【００３８】
式（ＩＩＩａ）におけるＸ５は塩素原子又はフッ素原子を表すが、塩素原子であることが好ましい。Ｚ３は−ＣＨ＝ＣＨ２又は−ＣＨ２ＣＨ２Ｌ３を表し、Ｌ３はアルカリの作用で脱離する基を表す。Ｌ３としては、例えばＬ１で例示した基を挙げることができる。
式（ＩＩＩｂ）におけるＸ６は塩素原子、フッ素原子又はモルホリノ基を表し、好ましいＸ６は塩素原子又はモルホリノ基である。式（ＩＩＩｂ）におけるＸ７は上式（ＩＩＩｃ）で示される基を表す。
【００３９】
式（ＩＩＩｃ）におけるＲ３は、水素原子又は炭素数１〜４のアルキル基を表す。好ましいアルキル基はメチル基又はエチル基である。式（ＩＩＩｃ）におけるＺ４は−ＣＨ＝ＣＨ２又は−ＣＨ２ＣＨ２Ｌ４を表し、Ｌ４はアルカリの作用で脱離する基を表す。Ｌ４としては、例えば上記Ｌ１で例示した基を挙げることができる。
【００４０】
本発明における上記の化合物（ＩＩＩ）としては、次に示す赤色反応染料化合物（ｉ）〜（ｉｉｉ）が特に好ましい。
（ｉ）上述したように、Ａ２が、１位の炭素原子に−Ｎ＝Ｎ−基が結合し、２位の炭素原子にスルホン酸基が結合したフェニル基であり、Ｙ２が式（ＩＩＩｂ）で示される基であり、Ｘ６が塩素原子又はフッ素原子である化合物、
（ｉｉ）上述したように、Ａ２が、２位の炭素原子に−Ｎ＝Ｎ−基が結合し、１位及び５位の炭素原子にそれぞれスルホン酸基が結合したジスルホナフチル基であり、Ｙ２が式（ＩＩＩｂ）で示される基であり、Ｘ６が塩素原子又はフッ素原子である化合物、
（ｉｉｉ）上述したように、Ａ２が、２位の炭素原子に−Ｎ＝Ｎ−基が結合し、１位の炭素原子にスルホン酸基が結合したスルホナフチル基であり、Ｙ２が式（ＩＩＩｂ）で示される基であり、Ｘ６が塩素原子又はモルホリノ基である化合物
【００４１】
式（ＩＩＩ）で示される化合物としては、例えば、下記（ＸＶＩ）〜（ＸＩＸ）で示される化合物が挙げられる。
【００４２】
2006219579.tif 000025
（ＸＶＩ）
【００４３】
2006219579.tif 000026
（ＸＶＩＩ）
【００４４】
2006219579.tif 000027
（ＸＶＩＩＩ）
【００４５】
2006219579.tif 000028
（ＸＩＸ）
【００４６】
式（ＩＶ）におけるＡ３はナフチル基であり、該ナフチル基における２又は３個の水素原子は、２又は３個のスルホン酸基で置換されている。Ｒ４は炭素数１〜４のアルキル基、炭素数１〜４のアルコキシ基、アセチルアミノ基又はウレイド基を表す。Ｒ５は水素原子又は炭素数１〜４のアルキル基を表す。Ｚ５は−ＣＨ＝ＣＨ２又は−ＣＨ２ＣＨ２Ｌ５を表す。Ｌ５はアルカリの作用で脱離する基である。Ｌ５としては、例えば上記Ｌ１で例示した基を挙げることができる。
Ｘ８は塩素原子、フッ素原子又は上式（ＩＶａ）で示される基を表す。式（ＩＶａ）におけるＲ６は水素原子又は炭素数１〜４のアルキル基を表す。かかるアルキル基としてはメチル基又はエチル基が好ましい。Ｚ６は−ＣＨ＝ＣＨ２又は−ＣＨ２ＣＨ２Ｌ６を表し、Ｌ６はアルカリの作用で脱離する基を表す。Ｌ６としては、例えばＬ１で例示した基を挙げることができる。
式（ＩＶ）で示される化合物としては、Ａ３における２位の炭素原子が−Ｎ＝Ｎ−基と結合し、３位、６位及び８位の炭素原子がそれぞれスルホン酸基と結合したナフチル基であり、Ｘ８が塩素原子又は式（ＩＶａ）で示される基である化合物が好ましい。
式（ＩＶ）で示される化合物としては、例えば下式（ＸＸ）〜（ＸＸＩＩ）で示される化合物が挙げられる。
【００４７】
2006219579.tif 000029
（ＸＸ）
【００４８】
2006219579.tif 000030
（ＸＸＩ）
【００４９】
2006219579.tif 000031
（ＸＸＩＩ）
【００５０】
式（Ｖ）におけるＸ９は塩素原子又はフッ素原子を表す。Ｒ７は水素原子又は炭素数１〜４のアルキル基を表す。Ｚ７は−ＣＨ＝ＣＨ２又は−ＣＨ２ＣＨ２Ｌ７を表す。Ｌ７はアルカリの作用で脱離する基であり、Ｌ７としては、例えばＬ１で例示した基を挙げることができる。
式（Ｖ）で示される化合物としては、例えば下記（ＸＸＩＩＩ）〜（ＸＸＶ）で示される化合物が挙げられる。
【００５１】
2006219579.tif 000032
（ＸＸＩＩＩ）
【００５２】
2006219579.tif 000033
（ＸＩＶ）
【００５３】
2006219579.tif 000034
（ＸＶ）
【００５４】
式（ＶＩ）におけるＡ４はナフチル基を表す。該ナフチル基における１又は２個の水素原子は１又は２個のスルホン酸基で置換されている。Ｘ１０は塩素原子又はフッ素原子を表す。Ｒ９は水素原子又は炭素数１〜４のアルキル基を表す。Ｚ８は−ＣＨ＝ＣＨ２又は−ＣＨ２ＣＨ２Ｌ８を表す。Ｌ８はアルカリの作用で脱離する基である。Ｌ８としては、例えばＬ１で例示した基を挙げることができる。
【００５５】
式（ＶＩ）で示される化合物としては、例えば下式（ＸＸＶＩ）及び（ＸＸＶＩＩ）で示される化合物が挙げられる。
【００５６】
2006219579.tif 000035
（ＸＸＶＩ）
【００５７】
2006219579.tif 000036
（ＸＸＶＩＩ）
【００５８】
式（ＶＩＩ）におけるＰ１及びＰ２は、それぞれ独立に水素原子、塩素原子、臭素原子、炭素数１〜４のアルキル基、炭素数１〜４のアルコキシ基又はカルボキシル基を表す。
好ましいＰ１及びＰ２は水素原子又は炭素数１〜４のアルコキシ基である。Ｒ１０は水素原子又は炭素数１〜４のアルキル基を表す。好ましいアルキル基はメチル又はエチル基である。Ｚ９は−ＣＨ＝ＣＨ２又は−ＣＨ２ＣＨ２Ｌ９を表す。Ｌ９はアルカリの作用で脱離する基である。Ｌ９としては、例えばＬ１で例示した基を挙げることができる。
Ｘ１１は塩素原子、フッ素原子、炭素数１〜４のアルキルアミノ基又はフェニルアミノ基を表す。該アルキルアミノ基中のアルキルにおける１〜２個の水素原子は、塩素原子、スルホン酸基及びカルボキシル基からなる群より選ばれる１〜２個の置換基で置換されていてもよい。
また、上記フェニルアミノ基中のフェニルにおける１〜２個の水素原子は、塩素原子、スルホン酸基、炭素数１〜４のアルキル基及び炭素数１〜４のアルコキシ基からなる群より選ばれる１〜２個の置換基で置換されていてもよい。
【００５９】
式（ＶＩＩ）で示される化合物としては、例えば下記（ＸＸＶＩＩＩ）〜（ＸＸＸ）で示される化合物が挙げられる。
【００６０】
2006219579.tif 000037
（ＸＸＶＩＩＩ）
【００６１】
2006219579.tif 000038
（ＸＸＩＸ）
【００６２】
2006219579.tif 000039
（ＸＸＸ）
【００６３】
本発明において用いられる反応染料化合物（Ｉ）〜（ＶＩＩ）は、例えば遊離酸の形の化合物とその塩との混合物の形であってもよい。好ましい反応染料（Ｉ）〜（ＶＩＩ）は、アルカリ金属塩、アルカリ土類金属塩又はそれらを含有する混合物である。また、特に好ましい反応染料（Ｉ）〜（ＶＩＩ）は、ソーダ塩、カリウム塩、リチウム塩及びそれらを含有する混合物である。
【００６４】
本発明の反応染料組成物は、上記の赤色反応染料ａ)と、黄色反応染料ｂ）及び／又は青色反応染料ｃ）とを含有するものである。本発明の反応染料組成物の調製方法は限定されるものではなく、例えば、染色前に反応染料ａ)とｂ）及び／又はｃ）を予め混合して調製してもよく、染色時に染浴中で混合して調製してもよい。
【００６５】
本発明の反応染料組成物は、必要に応じて、食塩等の無機塩、分散剤、ナフタレン誘導体やアントラキノン誘導体等の溶解向上剤、粉塵飛散防止剤、ｐＨ安定剤、ポリ燐酸塩等の硬水軟化剤、消泡剤、水やその他の染色助剤等を含有することができる。また、本発明の反応染料組成物の形態は、粉末状であってもよく、顆粒状であってもよく、水性の液体状であってもよい。
【００６６】
本発明の反応染料組成物における赤色染料ａ)は、反応染料化合物群（Ｉ）から選ばれる１種以上と、反応染料化合物群（ＩＩ）及び（ＩＩＩ）から選ばれる１種以上との混合物である。上記の赤色反応染料混合物中における化合物（Ｉ）の好ましい含有量は、２０〜９０重量％である。前記赤色反応染料混合物の調製方法は限定されるものではなく、反応染料化合物（Ｉ）〜（ＶＩＩ）を予め混合して調製してもよく、染色時に染浴中で混合して調製してもよい。
【００６７】
本発明の反応染料組成物における青色染料ｃ)は、式（Ｖ）〜（ＶＩＩ）で示される反応染料群から選ばれる１種以上からなる。好ましくは式（ＶＩＩ）で示される反応染料の少なくとも１種と、式（Ｖ）及び式（ＶＩ）で示される反応染料から選ばれる少なくとも１種からなる青色反応染料が好ましい。また、これら反応染料（Ｖ）〜（ＶＩＩ）の調製方法は、予め混合して調製してもよく、染色時に染浴中で混合して調製してもよい。
【００６８】
本発明の反応染料組成物は、繊維材料を染色又は捺染する反応染料として有用である。かかる繊維材料としては、ヒドロキシ基及び／又はアミド基を含有するものであれば特に限定されないが、例えば、天然又は再生セルロース繊維、天然又は合成ポリアミド繊維、ポリウレタン繊維、皮革、及びこれらを含有する混紡材料等を挙げることができる。天然セルロース繊維としては、例えば木綿、リネン、麻、ジュートやラミー繊維等を挙げることができる。好ましいセルロース繊維は木綿である。再生セルロース繊維としては、例えば、レーヨン、ポリノジックやキュプラ繊維、商品名テンセル、同タフセル、同モダールや同セルティマ等を挙げることができる。天然又は合成ポリアミド繊維としては、例えば羊毛、絹、ポリアミド−６，６、ポリアミド−６、ポリアミド−１１やポリアミド−４等を挙げることができる。また、これらを含有する混紡材料としては、これら繊維材料の混紡材料、これらの繊維材料とポリエステル、ナイロンやアクリル等の合成繊維との混紡材料等が挙げられる。
本発明の反応染料組成物は、上述の材料上、特に上述のセルロース繊維繊維材料上に、物理的化学的性状に応じた方法で染色又は捺染することができる。具体的には、吸尽染色法、コールドバッチアップ法、連続染色法や捺染法等の方法により、上述の繊維上に染色又は捺染する方法を挙げることができる。
例えば、セルロース繊維上に吸尽染色法で染色する際は、炭酸ソーダ、重炭酸ソーダ、第三燐酸ソーダや苛性ソーダ等のアルカリの存在下、必要に応じて芒硝や食塩等の中性塩を加え、溶解助剤、浸透剤や均染剤等を必要に応じて併用し、３０〜１００℃程度の温度で染色する方法等が例示される。アルカリや中性塩等は、一度に添加してもよく、分割して添加してもよい。
セルロース繊維上にコールドバッチアップ法で染色する際は、芒硝や食塩等の中性塩と苛性ソーダやケイ酸ソーダ等のアルカリを用いてパジング後、密閉包装材料中に一定温度で放置して処理する方法等が例示される。
セルロース繊維上に連続染色法で染色する際は、炭酸ソーダや重炭酸ソーダ等のアルカリの存在下、室温又は室温よりも高められた温度でパジング後、スチーミング又は乾熱により処理する一相パジング法；上記の反応染料組成物が溶解しているパジング液に繊維を浸漬後、芒硝又は食塩等の中性塩と苛性ソーダ又はケイ酸ソーダ等のアルカリをパジングし、スチーミング又は乾熱することにより処理する二相パジング法等が例示される。
セルロース繊維上に捺染する場合は、重曹等のアルカリを含有する捺染ペーストを用いて一相で印捺後、８０℃以上の高温でスチーミングする方法や；中性又は弱酸性の捺染ペーストを用いて二相で印捺した後に電解質含有のアルカリ性浴に通過させた後、又はアルカリ性の電解質含有パジング液でオーバパジングした後に、スチーミング又は乾熱処理する方法等が例示される。上記の捺染ペーストには、アルギン酸ソーダや澱粉エーテル等の糊剤及び／又は乳化剤を含んでいてもよく、必要に応じて尿素等の捺染糊剤及び／又は分散剤を含んでいてもよい。
【００６９】
セルロース繊維上に本発明の反応染料組成物を染色又は捺染する場合、アルカリとしては、例えば、苛性ソーダや苛性カリ等のようなアルカリ金属の水酸化物、第一燐酸ソーダ、第二燐酸ソーダ、ケイ酸ソーダ、トリクロロ酢酸ソーダ、蟻酸ソーダ、炭酸ソーダや炭酸カリ等のようなアルカリ金属又はアルカリ土類金属と無機酸又は有機酸との水溶性塩基性塩、加熱状態でアルカリを遊離する化合物等が挙げられる。好ましくは、アルカリ金属の水酸化物及び弱〜中程度の強さの無機酸又は有機酸のアルカリ金属塩が挙げられる。より好ましくは、苛性ソーダや苛性カリ、炭酸ソーダや炭酸カリ等が挙げられる。
【００７０】
合成又は天然のポリアミド繊維上や、ポリウレタン繊維上に吸尽染色する場合においては、酸性〜弱酸性の染浴中、ｐＨの制御下に本発明の反応染料組成物を吸尽させ、次いで６０〜１２０℃程度の温度下、中性〜アルカリ性にｐＨを変化させる方法等が例示される。ここで必要に応じて、均染剤等、例えば、塩化シアヌルとアミノベンゼンスルホン酸の縮合生成物、塩化シアヌルとアミノナフタレンスルホン酸の縮合生成物やステアリルアミンとエチレンオキサイドとの付加生成物等の均染剤等を用いてもよい。
本発明の反応染料組成物は、所望の色相を得るために、必要に応じて本発明の特徴を損なわない範囲で他の染料と混合して使用することもできる。混合して使用する染料としては、反応染料であれば特に制約はなく、またその形態にも特に制約はないが、例えば、スルファトエチルスルホン基、ビニルスルホン基、モノクロロトリアジン基、モノフルオロトリアジン基、モノニコチン酸トリアジン基、ジクロロトリアジン基、ジフルオロモノクロロピリミジン基及びトリクロロピリミジン基からなる群より選ばれる反応基の１種以上を有する染料が挙げられる。具体的には、Ｓｕｍｉｆｉｘ、Ｓｕｍｉｆｉｘ  ＨＦ、Ｓｕｍｉｆｉｘ  Ｓｕｐｒａ、Ｒｅｍａｚｏｌ、Ｌｅｖａｆｉｘ、ＲｅａＮｏｖａ、Ｐｒｏｃｉｏｎ、Ｃｉｂａｃｒｏｎ、Ｂａｓｉｌｅｎ、Ｄｒｉｍａｒｅｎｅ、Ｋａｙａｃｉｏｎ、Ｋａｙａｃｅｌｏｎ  Ｒｅａｃｔ、Ｒｅａｃｔｉｖｅ等の冠称名で市販されている染料が挙げられる。より好ましい染料としては、CAS  No.143804-55-1、107231-52-7、74388-34-4、109736-54-1、88159-08-4、83400-21-9、72509-99-0、63817-39-0、140876-14-8、146177-84-6、143683-22-1、12226-33-4、12226-32-3、372515-94-1、212652-59-0やＣ．Ｉ．Ｒｅａｃｔｉｖｅ  Ｂｌｕｅ  １９等が例示される。
【００７１】
本発明の反応染料組成物は、繊維材料に対する染色及び捺染において優れた性能を発揮する点に特徴がある。特にセルロース繊維材料の染色及び捺染に好適であり、この反応染料組成物は、均染性、ビルドアップ性等の染色性能、耐塩素性、耐酸加水分解性、耐光性、耐汗日光性等の各種堅牢度が良好であり、使用する染料が良好な相容性を有する。
また、本発明の反応染料組成物は、良好な溶解性を有し、濃色での染色力や低塩濃度における染色力に優れている。更に、染色温度、塩やアルカリ剤等の染色助剤の量や浴比の変動による影響を受けにくく、また、テーリング、スチーム時間依存性が良好で安定した品質の染色物が得られ、得られた染色物のフィックス処理時や樹脂加工時における変色が少なく、保存時の塩基性物質との接触による変化が少ない点でも優れている。このように、本発明の反応染料組成物は、セルロース繊維材料を再現性良く染色することができ、特に汗日光堅牢度が優れた染色物を与える。
【実施例】
【００７２】
以下、実施例等により本発明をさらに詳細に説明するが、本発明はこれらの例等に限定されるものではない。なお、例中における％及び部は、特記しない限り、重量％及び重量部を表す。
【００７３】
実施例１〜７及び比較例１〜４
１）吸尽染色法
綿繊維から成る編物５ｇをセットした染色装置（浴比は１：２０、浴の温度は７０℃）中に、下表２に記載した三原色用反応染料混合物と無水芒硝５ｇとを入れ、７０℃で２０分間編物を処理した。次いで、炭酸ソーダ２．０ｇを浴中に投入し、さらに７０℃で６０分間編物を染色した。得られた染色物を洗浄後、乾燥した。
実施例１〜７では、乾燥後、斑のない均一な茶色の染色物を得た。上記の染色を繰返し行った結果、下表２に記載のように、後述する浴比依存性も含めて染色再現性は良好であった。一方、比較例１〜４では、下表２に記載のように、得られた染色物の汗日光堅牢度が２級以下であった。また、褪色バランスについても赤みに変色するか、又は赤みが消色してしまった。なお、各実施例や比較例における赤色染料、黄色染料及び青色染料のそれぞれの組成は、下表１のとおりである。
【００７４】
【表１】
2006219579.tif 000040
【００７５】
【表２】
2006219579.tif 000041
【００７６】
２）二浴連続染色法
下表４に記載した三原色用反応染料混合物とアルギン酸ソーダ１部とメタニトロベンゼンスルホン酸ソーダ１０部を熱水で溶解後、水を加えて全量を２５℃で１０００部とした。この液を染料パジング液として木綿織物をパジングし、織物を１２０℃で９０秒間乾燥した。得られた織物を、４０度ボーメの苛性ソーダ１０ｍｌ、炭酸ソーダ１５ｇ及び食塩２５０ｇを水１ｌに溶解したアルカリ水溶液でパジングし、次に１００℃で４０秒間スチーミングして染料を固着させた後、洗浄及び乾燥して染色物を得た。得られた染色物は斑のない均一なものであり、染色の再現性も良好であった。なお、各実施例や比較例における赤色染料、黄色染料及び青色染料のそれぞれの組成は、下表３のとおりである。
実施例８〜１４の本発明の組成物では、いずれも場合もテーリング性が良好であり、得られた染色物の汗日光堅牢度も良好であった。一方、比較例の組成物では、汗日光堅牢度が２級以下であった。
【００７７】
【表３】
2006219579.tif 000042
【００７８】
【表４】
2006219579.tif 000043
【００７９】
３）浴比依存性の評価
１）項の吸尽染色法に記載した方法に準じて、それぞれ浴比１：１０及び１：４０の染色を行った。浴比１：２０で染色して得られた染色布を基準とした場合の各浴比における染色布の濃度と色相のバラツキを比較し、浴比依存性を評価した。
○・・各浴比で染色した布の色相がほぼ同じである
△・・各浴比で染色した布の色相が多少異なるが、ほぼ同系統の色相である
×・・各浴比で染色した布の色相の変化が大きい
【００８０】
４）テーリング性の評価
染料パジング液１００ｍｌの全量を木綿織物にパジングし、２）項の二浴連続染色法に準じて染色を行った。最初に染料パジング液がパジングされた部分（反始）、染料パジング液が最後にパジングされた部分（反末）及びこれらの中央部分（反央）の濃度と色相のバラツキを比較して、テーリング性を評価した。
○・・反始−反央間と反央−反末間の色相がほぼ同じである
△・・反始−反央間と反央−反末間の色相が多少異なるが、ほぼ同系統の色相である
×・・反始−反央間と反央−反末間の色相の変化が大きい
【００８１】
実施例１５
実施例３で使用した反応染料組成物２００部を熱水で溶解後、２５℃迄冷却し、アルギン酸ソーダ１部、メタニトロベンゼンスルホン酸ソーダ１０部及び炭酸水素ナトリウム２０部を添加し、更に水を加えて全量を２５℃で１０００部とし、この液をパジング液として木綿織物をパジングし、織物を１２０℃で２分間乾燥し、次いで１００℃で５分間スチーミングして染料を固着させると、汗日光堅牢度が良好であり、均一な茶色の染色物が得られる。また、上記染色を繰り返しても、その再現性は良好である。
【００８２】
実施例１６
実施例３で使用した反応染料組成物を用いて、以下の組成をもつ色糊を作る。
【００８３】
【表５】
2006219579.tif 000044
【００８４】
この色糊をシルケット加工綿ブロード上に印捺し、中間乾燥後、１００℃で５分間スチーミングを行い、湯洗い、ソーピング、湯洗い及び乾燥して仕上げると、均一な茶色の汗日光堅牢度が良好な捺染物が得られる。
【００８５】
実施例１７
実施例３で使用した反応染料組成物３０ｇを熱水に溶解後、２５℃に冷却して得られる染料溶液に３２．５％苛性ソーダ水溶液１５ｇ及び５０度ボーメの水ガラス１５０ｇを添加後、更に２５℃で水を加えて全量を１０００ｇとした直後に、この液をパジング液として木綿織物をパジングし、パジングした木綿織物を巻き上げ、次いでポリエチレンフィルムで密閉して２５℃で２０時間放置後、常法で洗浄し、乾燥して仕上げると、諸堅牢度が良好な均一な茶色の染色物が得られる。
【産業上の利用可能性】
【００８６】
本発明の反応染料組成物は、木綿等のセルロース繊維材料を染色する反応染料として有用である。